(57)【要約】たとえば認知無線ネットワーク内の無線デバイスは、通信のために局所で利用することができ、かつ、使用することができるスペクトルを見出し、かつ、使用している。ビーコンシグナリングにより、利用可能なスペクトルを容易に見出し、かつ、スペクトルの使用を容易に調整することができる。新しい領域に入り、かつ、電力が供給された無線端末は、第１の通信帯域のビーコン信号の存在を検出するべくモニタする。無線端末は、モニタリングの結果に基づいて送信するか否かを決定する。また、ビーコン信号が検出されると、受信したビーコン信号から無線端末によって回復された復号された情報を使用して送信が決定される。復号された情報には、たとえば、第２の帯域をピア−ピア通信のために使用することができることを示すタイプ情報、および／またはそのビーコン信号を送信した無線通信デバイスおよびそのビーコン信号を送信した無線通信デバイスの現在のユーザのうちの少なくとも１つを同定する同定情報が含まれている。
2009523377.tif 000002
【特許請求の範囲】
【請求項１】
無線通信デバイスを動作させる方法であって、
第１の時間周期の間、第１の通信帯域の少なくとも１つのビーコン記号を含んだビーコン信号の少なくとも一部を検出するためにモニタすること、および
前記モニタすることの結果に基づいて第１の信号を送信するか否かを決定することを備え、前記第１の信号が、ビーコン記号およびユーザデータのうちの少なくとも１つを含む方法。
【請求項２】
前記ユーザデータが、テキストデータ、音声データ、イメージデータ、ゲームデータおよびスプレッドシートデータのうちの少なくとも１つを含む、請求項１に記載の方法。
【請求項３】
送信するか否かを決定することが、ビーコン信号部分が検出されたことに応答して信号の送信を決定することを含む、請求項１に記載の方法。
【請求項４】
送信するか否かを決定することが、
検出されたビーコン信号部分によって通信された情報を復号すること、および
前記復号された情報に含まれている情報に基づいて信号を送信するか否かを決定することを含む、請求項１に記載の方法。
【請求項５】
信号を送信するか否かを決定することが、前記復号された情報に含まれているタイプ情報に基づき、前記タイプ情報が、第２の帯域をピアツーピア通信のために使用することができることを示す、請求項４に記載の方法。
【請求項６】
信号を送信するか否かを決定することが、前記復号された情報に含まれているデバイス同定情報に基づく、請求項４に記載の方法。
【請求項７】
送信するか否かを決定することが、ビーコン記号を含んだビーコン信号の少なくとも一部が前記モニタすることによって検出されない場合、前記第１の時間周期の後に続く第２の時間周期の間、信号を送信しないことを決定することを含む、請求項１に記載の方法。
【請求項８】
前記第１の信号がビーコン信号である、請求項１に記載の方法。
【請求項９】
前記送信されたビーコン信号が、ｉ）前記無線通信デバイスおよびｉｉ）前記無線通信デバイスを現在使用しているユーザのうちの少なくとも１つを同定するために使用される識別子を通信する、請求項８に記載の方法。
【請求項１０】
前記送信することが、前記第１の通信帯域と同じ通信帯域である第２の帯域で前記第１の信号を送信することを含む、請求項８に記載の方法。
【請求項１１】
前記送信することが、前記第１の通信帯域とは異なる第２の帯域で前記第１の信号を送信することを含む、請求項８に記載の方法。
【請求項１２】
前記第１および第２の通信帯域が分離され、周波数領域がばらばらである、請求項１１に記載の方法。
【請求項１３】
前記第１および第２の通信帯域が異なるサイズの周波数帯域である、請求項１１に記載の方法。
【請求項１４】
第３の時間周期の間、第３の通信帯域にユーザデータを送信することをさらに備える、請求項１１に記載の方法。
【請求項１５】
前記第３の時間周期が第２の時間周期の後に続き、前記第２の時間周期が、少なくとも１つのビーコン記号を含んだ前記第１の信号の少なくとも一部が送信される一定の時間周期である、請求項１４に記載の方法。
【請求項１６】
前記第３の周波数帯域が前記第２の周波数帯域と同じ周波数帯域である、請求項１５に記載の方法。
【請求項１７】
前記第３の周波数帯域が前記第２の周波数帯域とは異なる、請求項１６に記載の方法。
【請求項１８】
前記通信デバイスが携帯型無線通信デバイスであり、前記方法が、
第４の時間周期の間、他の無線通信デバイスからの追加ビーコン信号の少なくとも一部を検出するためにモニタすることをさらに備える、請求項１４に記載の方法。
【請求項１９】
前記他の無線通信デバイスがピアツーピア通信ネットワーク内のピアである、請求項１８に記載の方法。
【請求項２０】
追加ビーコン信号の少なくとも一部を検出するためにモニタすることが、追加ビーコン信号の前記少なくとも一部に対して前記第２の帯域をモニタすることを含み、前記第２の周波数帯域が前記第１の周波数帯域とは異なる周波数帯域である、請求項１８に記載の方法。
【請求項２１】
無線通信デバイスであって、
第１の通信帯域で通信された少なくとも１つのビーコン記号の受信を検出するためのビーコン検出モジュール、および
前記ビーコン検出モジュールのアウトプットに基づいて第１の信号を送信するか否かを決定するためのビーコンベース決定モジュールを備え、前記アウトプットが、一定の時間周期の間にビーコン記号が検出されたか否かの関数であり、前記第１の信号が、ビーコン記号およびユーザデータのうちの少なくとも１つを含む無線通信デバイス。
【請求項２２】
前記ユーザデータが、テキストデータ、音声データ、イメージデータ、ゲームデータおよびスプレッドシートデータのうちの少なくとも１つを含む、請求項２１に記載のデバイス。
【請求項２３】
前記検出されたビーコン記号がビーコン信号部分の一部であり、また、
前記ビーコンベース決定モジュールが、ビーコン信号部分が検出されたことに応答して第１の信号を送信するか否かを決定する、請求項２１に記載のデバイス。
【請求項２４】
検出されたビーコン信号部分によって通信された情報を復号するためのビーコン信号復号モジュールをさらに備え、前記検出されたビーコン記号が前記検出されたビーコン信号部分の一部であり、また、
前記ビーコンベース決定モジュールが、前記ビーコン信号復号モジュールによって実行された復号によって生成された復号された情報に基づいて第１の信号を送信するか否かを決定する、請求項２１に記載のデバイス。
【請求項２５】
前記ビーコンベース決定モジュールが、前記復号された情報に含まれているタイプ情報に基づいて第１の信号を送信するか否かを決定し、前記タイプ情報が、第２の帯域をピアツーピア通信のために使用することができることを示す、請求項２４に記載のデバイス。
【請求項２６】
前記ビーコンベース決定モジュールが、前記復号された情報に含まれているデバイス同定情報に基づいて第１の信号を送信するか否かを決定する、請求項２４に記載のデバイス。
【請求項２７】
前記ビーコンベース決定モジュールが、ビーコン記号を含んだビーコン信号の少なくとも一部が前記第１の時間周期の間に前記ビーコン検出モジュールによって検出されない場合、第１の時間周期の後に続く第２の時間周期の間、信号を送信しないことを決定する、請求項２１に記載のデバイス。
【請求項２８】
前記第１の信号を送信するための送信器をさらに備え、また、
前記第１の信号がビーコン信号である、請求項２１に記載のデバイス。
【請求項２９】
前記ビーコン信号を生成するためのビーコン信号生成モジュールをさらに備え、前記ビーコン信号生成モジュールが、生成されたビーコン信号の中で、ｉ）前記無線通信デバイスおよびｉｉ）前記無線通信デバイスを現在使用しているユーザのうちの少なくとも１つを同定するために使用される識別子を通信する、請求項２８に記載のデバイス。
【請求項３０】
前記第１の通信帯域で送信されるビーコン信号部分を受信するための受話器、および
前記受話器および送信器が動作する帯域を制御するための制御モジュールをさらに備え、前記受話器および送信器が、時分割多重化に基づいて同じ帯域を使用するように制御される、請求項２８に記載のデバイス。
【請求項３１】
前記第１の帯域で送信されるビーコン信号部分を受信するための受話器、および
前記受話器および送信器が動作する帯域を制御するための制御モジュールをさらに備え、前記受話器が前記第１の通信帯域を使用するように制御され、また、前記送信器が第２の通信帯域を使用するように制御され、前記第１および第２の通信帯域が異なる帯域である、請求項２８に記載のデバイス。
【請求項３２】
前記第１および第２の通信帯域が分離され、また、周波数領域がばらばらであるが、所定の関係を有する、請求項３１に記載のデバイス。
【請求項３３】
前記第１および第２の通信帯域が異なるサイズの周波数帯域である、請求項３１に記載のデバイス。
【請求項３４】
前記制御モジュールが、第３の時間周期の間、第３の通信帯域へのユーザデータの送信を制御するためのユーザデータ送信制御モジュールを備える、請求項３１に記載のデバイス。
【請求項３５】
前記第３の時間周期が第２の時間周期の後に続き、前記第２の時間周期が、前記第１の信号の少なくとも一部が送信される一定の時間周期であり、前記第１の信号が少なくとも１つのビーコン記号を含んだ、請求項３４に記載のデバイス。
【請求項３６】
前記第３の周波数帯域が前記第２の周波数帯域と同じ周波数帯域である、請求項３５に記載のデバイス。
【請求項３７】
前記第３の周波数帯域が前記第２の周波数帯域とは異なる、請求項３６に記載の方法。
【請求項３８】
前記通信デバイスが携帯型無線通信デバイスであり、前記デバイスが、
第４の時間周期の間、他の無線通信デバイスから受信されるビーコン記号を検出するための無線端末ビーコン検出モジュールをさらに備え、前記第４の時間周期の少なくとも一部が、前記ビーコン検出モジュールが動作する一定の時間周期とは異なる、請求項３４に記載のデバイス。
【請求項３９】
前記他の無線通信デバイスがピアツーピア通信ネットワーク内のピアである、請求項３８に記載のデバイス。
【請求項４０】
前記無線端末ビーコン検出モジュールが第２の通信帯域をモニタし、前記第２の通信帯域が前記第１の通信帯域とは異なる周波数帯域である、請求項３８に記載のデバイス。
【請求項４１】
無線通信デバイスであって、
第１の通信帯域で通信される少なくとも１つのビーコン記号の受信を検出するための手段、および
少なくとも１つのビーコン信号の受信を検出するための前記手段のアウトプットに基づいて第１の信号を送信するか否かを決定するための手段を備え、前記アウトプットが、一定の時間周期の間にビーコン記号が検出されたか否かの関数であり、前記第１の信号が、ビーコン記号およびユーザデータのうちの少なくとも１つを含む無線通信デバイス。
【請求項４２】
前記ユーザデータが、テキストデータ、音声データ、イメージデータ、ゲームデータおよびスプレッドシートデータのうちの少なくとも１つを含む、請求項４１に記載のデバイス。
【請求項４３】
前記検出されたビーコン記号がビーコン信号部分の一部であり、また、
決定するための前記手段が、ビーコン信号部分が検出されたことに応答して第１の信号を送信するか否かを決定する、請求項４１に記載のデバイス。
【請求項４４】
検出されたビーコン信号部分によって通信された情報を復号するための手段をさらに備え、前記検出されたビーコン記号が前記検出されたビーコン信号部分の一部であり、また、
決定するための前記手段が、情報を復号するための手段によって実行された復号によって生成された復号された情報に基づいて第１の信号を送信するか否かを決定する、請求項４１に記載のデバイス。
【請求項４５】
決定するための前記手段が、前記復号された情報に含まれているタイプ情報に基づいて第１の信号を送信するか否かを決定し、前記タイプ情報が、第２の帯域をピアツーピア通信のために使用することができることを示す、請求項４４に記載のデバイス。
【請求項４６】
決定するための前記手段が、前記復号された情報に含まれているデバイス同定情報に基づいて第１の信号を送信するか否かを決定する、請求項４４に記載のデバイス。
【請求項４７】
決定するための前記手段が、ビーコン記号を含んだビーコン信号の少なくとも一部が、前記第１の時間周期の間に、検出するための前記手段によって検出されない場合、第１の時間周期の後に続く第２の時間周期の間、信号を送信しないことを決定する、請求項４１に記載のデバイス。
【請求項４８】
前記第１の信号を送信するための手段をさらに備え、また、
前記第１の信号がビーコン信号である、請求項４１に記載のデバイス。
【請求項４９】
ビーコン信号を生成するための手段をさらに備え、前記手段が、生成されたビーコン信号の中で、ｉ）前記無線通信デバイスおよびｉｉ）前記無線通信デバイスを現在使用しているユーザのうちの少なくとも１つを同定するために使用される識別子を通信する、請求項４８に記載のデバイス。
【請求項５０】
下記の方法を実施するための、無線通信デバイスを制御するための機械実行可能命令を具体化したコンピュータ可読媒体：
第１の時間周期の間、第１の通信帯域の少なくとも１つのビーコン記号を含んだビーコン信号の少なくとも一部を検出するためにモニタすること、および
前記モニタすることの結果に基づいて第１の信号を送信するか否かを決定することであって、前記第１の信号には、ビーコン記号およびユーザデータのうちの少なくとも１つが含まれている。
【請求項５１】
前記ユーザデータが、テキストデータ、音声データ、イメージデータ、ゲームデータおよびスプレッドシートデータのうちの少なくとも１つを含む、請求項５０に記載のコンピュータ可読媒体。
【請求項５２】
送信するか否かを決定することが、ビーコン信号部分が検出されたことに応答して信号の送信を決定することを含む、請求項５０に記載のコンピュータ可読媒体。
【請求項５３】
送信するか否かを決定する前記ステップの一部として、
検出されたビーコン信号部分によって通信された情報を復号し、かつ、
前記復号された情報に含まれている情報に基づいて信号を送信するか否かを決定するための機械実行可能命令をさらに備える、請求項５０に記載のコンピュータ可読媒体。
【請求項５４】
信号を送信するか否かの前記決定を、前記復号された情報に含まれているタイプ情報に基づいて実施するための機械実行可能命令をさらに備え、前記タイプ情報が、第２の帯域をピアツーピア通信のために使用することができることを示す、請求項５３に記載のコンピュータ可読媒体。
【請求項５５】
信号を送信するか否かの前記決定を、前記復号された情報に含まれているデバイス同定情報に基づいて実施するための機械実行可能命令をさらに具体化した、請求項５３に記載のコンピュータ可読媒体。
【請求項５６】
送信するか否かを決定することが、ビーコン記号を含んだビーコン信号の少なくとも一部が前記モニタすることによって検出されない場合、前記第１の時間周期の後に続く第２の時間周期の間、信号を送信しないことを決定することを含む、請求項５０に記載のコンピュータ可読媒体。
【請求項５７】
前記第１の信号がビーコン信号であり、前記コンピュータ可読媒体が、
前記ビーコン信号を生成するための機械実行可能命令をさらに備え、ここにおいて、前記ビーコン信号が少なくとも１つのビーコン信号バーストを含み、また、ここにおいて、前記ビーコン信号バーストが少なくとも１つのビーコン記号を含み、ビーコンバーストのビーコン送信ユニットのほとんどが故意の空である、請求項５０に記載のコンピュータ可読媒体。
【請求項５８】
下記のように構成されたプロセッサを備える装置：
第１の時間周期の間、第１の通信帯域の少なくとも１つのビーコン記号を含んだビーコン信号の少なくとも一部を検出するためにモニタする、および
前記モニタリングの結果に基づいて第１の信号を送信するか否かを決定し、前記第１の信号が、ビーコン記号およびユーザデータのうちの少なくとも１つを含む。
【請求項５９】
前記ユーザデータが、テキストデータ、音声データ、イメージデータ、ゲームデータおよびスプレッドシートデータのうちの少なくとも１つを含む、請求項５８に記載の装置。
【請求項６０】
送信するか否かを決定することが、ビーコン信号部分が検出されたことに応答して信号の送信を決定することを含む、請求項５８に記載の装置。
【請求項６１】
前記プロセッサが、送信するか否かを決定する前記ステップの一部として、
検出されたビーコン信号部分によって通信された情報を復号する、および
前記復号された情報に含まれている情報に基づいて信号を送信するか否かを決定するようにさらに構成された、請求項５８に記載の装置。
【請求項６２】
前記プロセッサが、
信号を送信するか否かの前記決定が、前記復号された情報に含まれているタイプ情報に基づくようにさらに構成され、前記タイプ情報が、第２の帯域をピアツーピア通信のために使用することができることを示す、請求項６１に記載の装置。
【請求項６３】
前記プロセッサが、
信号を送信するか否かの前記決定が、前記復号された情報に含まれているデバイス同定情報に基づくようにさらに構成された、請求項６１に記載の装置。
【請求項６４】
送信するか否かを決定することが、ビーコン記号を含んだビーコン信号の少なくとも一部が前記モニタリングによって検出されない場合、前記第１の時間周期の後に続く第２の時間周期の間、信号を送信しないことを決定することを含む、請求項５８に記載の装置。
【請求項６５】
前記第１の信号がビーコン信号であり、前記プロセッサが、
前記ビーコン信号を生成するようにさらに構成され、ここにおいて、前記ビーコン信号が少なくとも１つのビーコン信号バーストを含み、また、ここにおいて、前記ビーコン信号バーストが少なくとも１つのビーコン記号を含み、ビーコンバーストのビーコン送信ユニットのほとんどが故意の空である、請求項５８に記載の装置。
【発明の詳細な説明】
【技術分野】
【０００１】
本発明は、無線通信におけるシグナリングのための方法および装置を対象にしたものであり、より詳細には、無線ネットワーク、たとえば認知無線ネットワークにおけるスペクトル可用性を検出するためにビーコン信号を使用するための方法および装置を対象にしたものである。
【背景技術】
【０００２】
本出願は、それぞれ参照により本明細書に組み込まれ、また、それらのすべてが本出願の譲受人に譲渡された、２００６年１月１１日に出願した、「ＭＥＴＨＯＤＳ  ＡＮＤ  ＡＰＰＡＲＡＴＵＳ  ＦＯＲ  ＵＳＩＮＧ  ＢＥＡＣＯＮ  ＳＩＧＮＡＬＳ  ＦＯＲ  ＩＤＥＮＴＩＦＩＣＡＴＩＯＮ，ＳＹＮＣＨＲＯＮＩＺＡＴＩＯＮ  ＯＲ  ＡＣＱＵＩＳＩＴＩＯＮ  ＩＮ  ＡＮ  ＡＤ  ＨＯＣ  ＷＩＲＥＬＥＳＳ  ＮＥＴＷＯＲＫ」という名称の米国仮特許出願第６０／７５８，０１１号、２００６年１月１１日に出願した、「ＭＥＴＨＯＤＳ  ＡＮＤ  ＡＰＰＡＲＡＴＵＳ  ＦＯＲ  ＦＡＣＩＬＩＴＡＴＩＮＧ  ＩＤＥＮＴＩＦＩＣＡＴＩＯＮ，ＳＹＮＣＨＲＯＮＩＺＡＴＩＯＮ  ＯＲ  ＡＣＱＵＩＳＩＴＩＯＮ  ＵＳＩＮＧ  ＢＥＡＣＯＮ  ＳＩＧＮＡＬＳ」という名称の米国仮特許出願第６０／７５８，０１０号、２００６年１月１１日に出願した、「ＭＥＴＨＯＤＳ  ＡＮＤ  ＡＰＰＡＲＡＴＵＳ  ＦＯＲ  ＵＳＩＮＧ  ＢＥＡＣＯＮ  ＳＩＧＮＡＬＳ  ＩＮ  Ａ  ＣＯＧＮＩＴＩＶＥ  ＲＡＤＩＯ  ＮＥＴＷＯＲＫ」という名称の米国仮特許出願第６０／７５８，０１２号、２００６年１０月２７日に出願した米国仮特許出願第６０／８６３，３０４号、２００６年９月１５日に出願した米国仮特許出願第６０／８４５，０５２号、および２００６年９月１５日に出願した米国仮特許出願第６０／８４５，０５１号の利益を主張するものである。
【０００３】
無線スペクトルは、高価でかつ価値の高いリソースであるが、スペクトルのかなりの部分が使用されていないことがしばしばである。認知無線の概念によれば、無線デバイスは、通信のために局所で利用することができ、かつ、使用することができるスペクトルを見出し、かつ、使用することができる。無線デバイスは、利用可能なスペクトルを動的に再使用するためには、その位置を含むその環境を知覚することができなければならず、また、次に、電力および搬送周波数を含むその通信パラメータを変更することができなければならない。認知無線の鍵となる技術的課題は、スペクトルの可用性を頑丈でかつ電力効率の高い方法で検出することである。たとえば、端末は、端末に電力が供給された直後または端末が新しい領域へ移動した直後は、通信パラメータの知識、さらには、その地理上の領域の近傍で現在使用することができる技術についての知識を有することができない。検出方法は頑丈でなければならず、たとえば、タイミングおよび周波数同期の欠乏を含む様々な不確実性に対して頑丈でなければならない。電力効率は、端末の電池寿命に大きな影響力を有しており、したがって無線システムにおけるもう１つの重要な問題である。
【発明の開示】
【発明の概要】
【０００４】
以上の考察に鑑みて、無線ネットワークにおけるスペクトル可用性を検出するための新しい、かつ、改良された方法が必要であることを理解されたい。
【０００５】
様々な実施形態によれば、無線端末は、あるスペクトル帯域の使用を開始する前に、そのスペクトル帯域を使用に供することができるかどうかを決定するためにそのスペクトル帯域を走査する。走査するステップには、そのスペクトル帯域のビーコン信号を探索することが含まれている。
【０００６】
一例示的実施形態では、ビーコン信号は、あるスペクトル帯域の一連のビーコン信号バーストを含んでおり、各ビーコンバーストは、１つまたは複数のビーコン記号を含んでいる。ビーコン記号は、ビーコン記号送信ユニットを使用して送信される。ビーコン信号バーストは、１つまたは複数のビーコン記号を含んでおり、ビーコン記号の数がビーコン記号バーストのビーコン記号送信ユニットの微小部分、たとえば１０％以下を占めている。いくつかの例示的直交周波数分割多重化（ＯＦＤＭ）システムでは、各ビーコン記号は、１ＯＦＤＭ記号周期にわたって単一トーンである。いくつかの例示的直交周波数分割多重化（ＯＦＤＭ）システムでは、各ビーコン記号は、少数のＯＦＤＭ記号周期、たとえば１ＯＦＤＭ記号周期、２ＯＦＤＭ記号周期、３ＯＦＤＭ記号周期または４ＯＦＤＭ記号周期にわたって単一トーンである。ビーコン信号バーストは、いくつかの実施形態では、１つまたは複数のトーン、たとえば単一トーンまたは２つ、３つあるいは４つのトーンなどの少数のトーンを含んでおり、これらのトーンは、少数の送信記号時間周期、たとえば１記号送信時間周期または２記号送信時間周期にわたってビーコン記号を運ぶために使用される。ビーコン信号バーストは、簡潔方式（つまり非連続方式）で送信されるため、第１のビーコン信号バーストと第２のビーコン信号バーストの間に多数の記号周期が存在している。連続するビーコン信号バーストは、所定のランダムトーンホッピングシーケンスまたは擬似ランダムトーンホッピングシーケンスに従って、ビーコン記号のための異なるトーンを使用することができ、場合によっては実際に異なるトーンを使用している。
【０００７】
様々な実施形態によれば、ビーコン信号を使用して少量の情報を運ぶことができる。一例示的ＯＦＤＭシステムでは、所与のバースト中のビーコン記号の１つまたは複数のトーンの周波数、連続するバースト間の時間インターバルおよび／またはトーンホッピングシーケンスに情報を含めることができる。ビーコン信号によって運ばれる情報は、様々な実施形態では、送信器に関する、識別子、タイプ、優先順位レベル、現在の送信電力値および最大電力情報、たとえばその送信器が送信することができる最大電力のうちの少なくとも１つを含んでいる。
【０００８】
無線端末がビーコン信号を探索するステップでビーコン信号を全く検出しなかった場合、いくつかの実施形態では、そのスペクトル帯域をその端末による使用に供することができる。あるいは、一実施形態では、その無線端末はそのスペクトル帯域を使用することはできない。
【０００９】
無線端末が候補スペクトル帯域を使用に供することができることを決定すると、その無線端末は、そのスペクトルの使用を開始し、たとえばデータまたは制御信号を送信／受信することができ、あるいは他の無線端末とのピアツーピア通信セッションを確立することができる。一実施形態では、無線端末の送信電力は、その無線端末のタイプまたは優先順位レベルの関数である。
【００１０】
様々な実施形態の一態様によれば、無線端末がスペクトルを使用している間、その無線端末は、自身のユーザビーコン信号をそのスペクトル帯域で送信する。異なる無線端末によって送信されるユーザビーコン信号は、そのビーコン信号によって運ばれる情報が互いに異なっていてもよく、場合によっては実際に互いに異なっている。一実施形態では、これらの無線端末は、サービス優先順位レベルが異なる無線端末であり、異なるユーザビーコン信号に対応している。
【００１１】
様々な実施形態の他の態様によれば、無線端末がスペクトルを使用している間、その無線端末はそのスペクトルを聞き、他の無線端末によって送られる可能性のあるビーコン信号を検出するべく試行する。無線端末は、いくつかの記号周期の一定の時間インターバルの間、連続的にリスニングモード（つまりオンタイム）にすることができる。オンタイムの後にはオフタイムが続き、その間、端末は電力節約モードに入り、一切の信号を受信せず、たとえば受信モジュールをターンオフする。別法としては、無線端末がスペクトルを使用している間、無線端末を連続的にリスニングモードにすることも可能である。
【００１２】
一実施形態では、第１の無線端末が第２の無線端末からのユーザビーコン信号の存在を検出すると、第１の無線端末がそのスペクトル帯域を現在使用している、あるいは使用していないにかかわらず、その無線端末は優先順位レベルを比較しなければならない。第２の無線端末の優先順位レベルがより高い場合、第１の無線端末は、そのスペクトル帯域を使用に供することはできないと見なすことになる。さらに、第１の無線端末は、第１の無線端末が現在そのスペクトル帯域を使用している場合、優先順位がより高いユーザまたはサービスが第１の無線端末に妨害されることなくそのスペクトル帯域を使用することができるよう、そのスペクトル帯域の使用を停止しなければならない。第２の無線端末の優先順位レベルがより低い場合、第１の無線端末は、そのスペクトル帯域を使用に供することができると見なすことになる。第１の無線端末がそのスペクトルを使用していなかった場合、第１の無線端末は、自身のユーザビーコン信号の送信を開始することができる。いくつかの実施形態では、第１の無線端末は、検出したビーコン信号から第２の無線端末のタイミングおよび／または周波数を引き出し、次に、その情報を使用して、自身のユーザビーコン信号を送信するためのタイミングおよび／または周波数を決定している。第２の無線端末が、同じく、ユーザビーコン信号を検出するために聞いていると仮定すると、有利には、上記同期により、第２の無線端末による第１の無線端末のユーザビーコン信号の受信が促進され、したがって第２の無線端末はそのスペクトルの使用を停止することができる。
【００１３】
様々な実施形態の他の態様によれば、無線端末は、無線端末と検出されたビーコン信号の対応する送信器との間の経路損失を推定している。この推定は、ビーコン信号の受け取った電力に基づくことができ、場合によっては実際にこの電力に基づいている。経路損失が十分に大きく、たとえば所定のレベルより大きい場合、無線端末はそのスペクトル帯域を使用することができる。
【００１４】
様々な実施形態によれば、地理上の領域内では、何らかの通信ノード、たとえば無線端末または基地局があるスペクトル帯域でデータセッション中である場合、そのノードは、そのスペクトル帯域でノードビーコン信号を送信しなければならない。データセッション中、ノードは、制御信号またはデータ信号を送信または受信することができる。領域内には異なるノードが共存することができ、各無線端末が、異なる技術によってサポートすることができる、セルラー電話、無線加入者回線、ディジタルテレビジョンなどの様々なサービスのうちの少なくとも１つを使用している。
【００１５】
無線通信デバイスを動作させる例示的方法には、様々な実施形態によれば、第１の時間周期の間、第１の通信帯域の少なくとも１つのビーコン記号を含んだビーコン信号の少なくとも一部を検出するためにモニタすること、および前記モニタリングの結果に基づいて、ビーコン記号およびユーザデータのうちの少なくとも１つを含んだ第１の信号を送信するか否かを決定することが含まれている。例示的無線通信デバイスは、様々な実施形態によれば、
第１の通信帯域で通信された少なくとも１つのビーコン記号の受信を検出するためのビーコン検出モジュールと、前記ビーコン検出モジュールのアウトプットに基づいて第１の信号を送信するか否かを決定するためのビーコンベース決定モジュールとを備えており、前記アウトプットは、一定の時間周期の間にビーコン記号が検出されたか否かの関数であり、前記第１の信号には、ビーコン記号およびユーザデータのうちの少なくとも１つが含まれている。
【００１６】
上記「発明の概要」では、様々な実施形態について説明したが、必ずしもすべての実施形態が同じ特徴を備えているわけではなく、上で説明した特徴のうちのいくつかは不要であるが、いくつかの実施形態では望ましい場合もあることを理解されたい。以下、「詳細な説明」の中で、多くの追加特徴、実施形態および利点について説明する。
【詳細な説明】
【００１７】
図１は、様々な実施形態によって実施される一例示的認知無線通信ネットワーク１００を示したものである。２つの無線端末、つまり第１の無線端末１０２および第２の無線端末１０４が地理上の領域１０６の中に示されている。たとえば、システムビーコン送信器を備えたシステム端末１０５は、いくつかの実施形態の中に含まれている。スペクトル帯域の一部は、通信、たとえばピアツーピア通信のために、これらの２つの端末による使用に供することができる。
【００１８】
認知無線ネットワークには、通常、ネットワーク構造基盤は存在していない。説明されている様々な新規な方法、装置および特徴は、様々な無線ネットワークに使用することができるが、構造基盤が限られているかあるいは欠乏しているネットワーク、たとえば、場合によっては無線端末がそのネットワークに関する情報を見出さなければならない認知無線ネットワークでの使用にとりわけ適している。無線端末は、共通のタイミング基準または周波数基準を有していなくてもよい。実際、このようなネットワークでは、無線端末は、所与のスペクトル帯域を現在の地理上の領域内の無線端末による使用に供することができるかどうかを判断しなければならない。認知無線の鍵となる着想は、無線端末にその環境を知覚させ、かつ、利用可能なスペクトルを見出させることである。スペクトル可用性は環境の関数である。
【００１９】
図２は、様々な実施形態によって実施される認知無線ネットワークにおけるスペクトル帯域の使用を制御するためのビーコン信号の一例示的使用方法のはしご線図２００を示したものである。
【００２０】
垂直軸２０１は時間を表している。この例示的認知無線ネットワークには３つの例示的端末、ＷＴ  Ａ２０２、ＷＴ  Ｂ２０４およびＷＴ  Ｃ２０６が存在している。これらの無線端末（２０４、２０６、２０８）は、いずれも最初は電力が供給されていないことが仮定されている。
【００２１】
最初に、無線端末Ａ２０２に電力が供給される。無線端末Ａ２０２がそのスペクトル帯域を使用することができるようになる前に、無線端末Ａ２０２は、最初に、ユーザビーコン信号を探索するためにその帯域を走査する（２０８）。無線端末Ａ２０２は、その領域内における唯一のアクティブ端末であるため、無線端末Ａ２０２は、一切のユーザビーコン信号を検出しない。したがって、無線端末Ａ２０２は、そのスペクトル帯域を使用に供することができることを決定する（２１０）。無線端末Ａ２０２は、そのスペクトルの使用を開始する（２１２）。無線端末Ａ２０２は、その存在を示すために、そのユーザビーコン信号を同報通信する（２１４）。
【００２２】
遅れて無線端末Ｂ２０４に電力が供給される。無線端末Ｂ２０４がそのスペクトル帯域を使用することができるようになる前に、無線端末Ｂ２０４は、最初に、ユーザビーコン信号を探索するためにその帯域を走査する（２１６）。無線端末Ｂ２０４は、端末Ａによって送られたユーザビーコン信号を検出する（２１８）。無線端末Ｂ２０４は、さらに、たとえば、検出したビーコン信号または無線端末Ａの他の同報通信チャネルから、無線端末Ａをピアツーピア通信に利用することができることを学習する（２２０）。したがって無線端末Ｂ２０４は、そのスペクトルの使用を決定する（２２２）。無線端末ＡおよびＢ（２０２、２０４）は、ピアツーピアセッションをセットアップする（２２４）。これらの無線端末（２０２、２０４）はいずれもアクティブであるため、それらはいずれも個々にユーザビーコン信号を同報通信する（２２８および２２６）。いくつかの実施形態では、両方の無線端末が自身のユーザビーコン信号を同報通信する。他の実施形態では、２つの無線端末（２０２、２０４）が、それらのセッションの優先順位レベルを決定し、その優先順位レベルを使用して、送るべきユーザビーコン信号を決定する。たとえば、セッション優先順位レベルは、両方の端末の最高優先順位レベルである。
【００２３】
遅れて無線端末Ｃ２０６に電力が供給される。無線端末Ｃ２０６がそのスペクトル帯域を使用することができるようになる前に、無線端末Ｃ２０６は、最初に、ユーザビーコン信号を探索するためにその帯域を走査する（２３０）。無線端末Ｃ２０６は、無線端末Ａ２０２によって、および／または無線端末Ｂ２０４によって送られたユーザビーコン信号を検出する（２３２）。無線端末Ｃ２０６は、さらに、たとえば、検出したビーコン信号または無線端末ＡあるいはＢの他の同報通信チャネルから、継続中のセッションが存在していることを学習する（２３４）。また、無線端末Ｃ２０６は、検出したビーコン信号の優先順位レベルを学習し、自身の優先順位レベルとそれらを比較する（２３６）。無線端末Ｃ２０６の優先順位レベルがより低い場合、無線端末Ｃ２０６は、そのスペクトル帯域を利用することができないことを決定し（２３８）、そうでない場合、無線端末Ｃ２０６は、自身のユーザビーコン信号の送信を開始することができる。このような場合、無線端末ＡおよびＢ（２０２、２０４）はいずれも、無線端末Ｃ２０６からのユーザビーコン信号を検出することになり、それらのセッションを停止／中止しなければならず、また、そのスペクトルの使用を停止しなければならない。
【００２４】
様々な実施形態によれば、ビーコン信号は、あるスペクトル帯域の一連のビーコン信号バーストを含んでおり、各ビーコン信号バーストは、１つまたは複数のビーコン記号を含んでいる。ビーコン記号は、ビーコン記号送信ユニットを使用して送信される。ビーコン信号バーストは、少数のビーコン記号を含んでおり、ビーコン記号の数がビーコン信号バーストのビーコン記号送信ユニットの微小部分を占めている。いくつかの例示的ＯＦＤＭシステムでは、ビーコン記号は、１ＯＦＤＭ記号周期にわたって１トーンである。いくつかの例示的ＯＦＤＭシステムでは、ビーコン記号は、少数の連続するＯＦＤＭ記号周期、たとえば１連続ＯＦＤＭ記号周期、２連続ＯＦＤＭ記号周期、３連続ＯＦＤＭ記号周期または４連続ＯＦＤＭ記号周期にわたって１トーンである。いくつかの実施形態では、ビーコン信号バーストは、１つまたは複数のトーン、たとえば単一トーンまたは２つ、３つあるいは４つのトーンなどの少数のトーンを含んでおり、これらのトーンは、少数の送信記号周期、たとえば１記号周期または２記号周期にわたってビーコン記号を運ぶために使用される。無線送信器は、ビーコン信号バーストを簡潔方式（つまり非連続方式）で送信するため、第１のビーコン信号バーストと第２のビーコン信号バーストの間に多数の記号周期が存在している。図３は、一例示的ＯＦＤＭシステムにおける例示的ビーコン信号を図面３００および３５０で示したものである。
【００２５】
図面３００では、水平軸３０２は時間を表しており、また、垂直軸３０４は周波数を表している。垂直の列は、所与の記号周期における複数のトーンの各々を表している。各微小ボックス３０６は、単一の送信記号周期にわたって単一のトーンであるトーン−記号を表している。図面３５０では、水平軸３５２は時間を表しており、また、垂直軸３０４は周波数を表している。垂直の列は、所与の記号周期における複数のトーンの各々を表している。各微小ボックス３５６は、単一の送信記号周期にわたって単一のトーンであるトーン−記号を表している。ＯＦＤＭ記号における最小送信ユニットは、１トーン−記号である。この例示的実施形態では、ビーコン記号送信ユニットは、１ＯＦＤＭトーン−記号である。
【００２６】
ビーコン信号は、時間に対して連続的に送信される一連のビーコン信号バーストを含んでおり、各ビーコン記号バーストは、１つまたは複数のビーコン記号を含んでいる。ビーコン信号バーストは、様々な実施形態では、ビーコン記号、たとえば単一のトーンを少数の送信記号周期、たとえば１記号周期または２記号周期にわたって運ぶ少数のトーンを含んでいる。図３の図面３００には、４つの微小ブラックボックス（３０８、３１０、３１２、３１４）が示されており、それらの各々はビーコン記号を表している。この場合、ビーコン記号は、１つのトーン−記号のエアリンクリソースを使用している。他の例示的実施形態では、ビーコン記号は、連続する２つの記号周期にわたって送信される１つのトーンを使用しており、また、２つのＯＦＤＭトーン−記号のエアリンクリソースを使用している。
【００２７】
ビーコン信号の１つまたは複数のビーコン記号トーンは、１つのバーストから他のバーストへ変更（ホップ）することができる。様々な実施形態によれば、ビーコン信号の１つまたは複数のビーコン記号およびバースト間インターバルのために使用されるトーンを含むトーンホッピングパターンは、いくつかの実施形態では、送信器、たとえば端末の関数であり、その送信器の同定として、もしくはその送信器が属しているタイプの同定として使用することができ、あるいはその端末の送信電力または電力能力を表すべく使用することができる。
【００２８】
異なるユーザビーコン信号は、いくつかの実施形態では、ビーコン信号バーストの周期性、ビーコン信号バースト中のビーコン記号のために使用される１つまたは複数のトーン、および連続するビーコン信号バーストに使用されるビーコン記号トーンのホッピングパターンのうちの少なくとも１つが互いに異なっている。
【００２９】
たとえば、図３は、２つの例示的ビーコン信号（３２４、３７４）を示したものである。第１のビーコン信号３２４は、第１の無線端末によって送られる第１のユーザビーコン信号であり、それぞれビーコン信号バースト（３１６、３１８、３２０、３２２）およびビーコン記号（３０８、３１０、３１２、３１４）を含んでいることを考慮されたい。第２の無線端末によって送られる第２のビーコン信号３７４は、それぞれビーコン信号バースト（３６６、３６８、３７０、３７２）およびビーコン記号（３５８、３６０、３６２、３６４）を含んでいる。上側の部分３００は、１つの無線端末によって送られるユーザビーコン信号３２４を示しており、また、下側の部分３５０は、他の無線端末によって送られる他のユーザビーコン信号３７４を示している。この実施例の場合、これらの２つのビーコン信号は同じ周期性を有しているが、トーンホッピングシーケンスが異なっている。詳細には、例示的第１の無線端末ビーコン信号３２４のトーンは第１の傾斜に従っており、また、例示的第２の無線端末ユーザビーコン信号３７４のトーンは第２の傾斜に従っており、第１の傾斜は第２傾斜より急峻である。
【００３０】
いくつかの実施形態では、例示的システムビーコン信号、たとえば、基地局および／または固定位置ビーコン送信器からのビーコン信号は、第１の傾斜または第１のセットの複数の傾斜に従い、また、例示的ユーザビーコン信号は、第２の傾斜または第２のセットの複数の傾斜に従っており、第１の傾斜は第２の傾斜とは異なり、かつ／または第１のセットの複数の傾斜は、第２のセットの複数の傾斜とは重複しない別の傾斜である。
【００３１】
一例示的実施形態では、優先順位の高いサービス、たとえば、法執行サービスまたは消防署サービス、および優先順位の低いサービス、たとえば、一般データサービスは、スペクトル帯域を共有していることが仮定されている。ほとんどの時間で、優先順位の高いサービスは、なんらアクティビティを有しておらず、その間、優先順位の低いサービスは、そのスペクトル帯域のすべてを使用することができる。しかしながら、優先順位の高いサービスにそのスペクトルを使用する必要が生じると、優先順位の低いサービスは必ず停止することが望ましい。優先順位の低いサービスと結合しているセッションは終了しなければならない。この目的を達成するために、様々な実施形態によれば、異なるサービスレベルと結合している端末は、たとえば、異なる優先順位レベルの信号を送るために、異なるユーザビーコン信号を使用している。
【００３２】
一例示的実施形態について考察する。無線端末がスペクトル帯域の可用性を走査している場合、あるいは無線端末がそのスペクトル帯域を使用して既に通信セッション中である場合、その無線端末はユーザビーコン信号の探索を継続しなければならない。無線端末が自身の優先順位より高い優先順位を有するユーザビーコン信号の存在を検出すると、その無線端末は、対応するスペクトル帯域を使用に供することができるものと見なすことになる。無線端末は、何らかの通信セッション中である場合、その通信セッションを終了しなければならず、また、他の候補スペクトル帯域の走査に移ることができる。したがって、優先順位の高い端末またはサービスは、きれいなスペクトル帯域を使用することができる。
【００３３】
図４の図面４００は、様々な実施形態によって実施される、ビーコン信号バーストのモニタリングの一実施形態を示したものである。無線端末はスペクトル帯域を聞き、異なる無線端末によって送られる可能性のあるユーザビーコン信号を検出するべく試行する。無線端末は、いくつかの記号周期の一定の時間インターバルの間、連続的に、オンタイムと呼ばれているリスニングモードにすることができる。オンタイム（４０２）の後にはオフタイム（４０６）が続き、その間、無線端末は電力節約モードに入り、一切の信号を受信しない。オフタイムでは、無線端末は、受信モジュールを完全にターンオフすることができる。オフタイム４０６が終了すると、無線端末はオンタイム４０４を再開し、ビーコン信号の検出を再び開始する。上記手順が繰り返される。
【００３４】
いくつかの実施形態では、オンタイムインターバルの長さはオフタイムインターバルの長さより短い。一実施形態では、オンタイムインターバルはオフタイムインターバルの１／５以下である。一実施形態では、オンタイムインターバルの各々の長さは同じであり、また、オフタイムインターバルの各々の長さも同じである。
【００３５】
オフタイムインターバルの長さは、いくつかの実施形態では、第２の無線端末が第１の無線端末の近傍に実際に存在している場合、他の（第２の）無線端末の存在を検出するための第１の無線端末の潜時要求事項によって決まる。オンタイムインターバルの長さは、第１の無線端末が、オンタイムインターバルの間に少なくとも１つのビーコン信号バーストを検出する大きな確率を有するように決定される。一実施形態では、オンタイムインターバルの長さは、ビーコン信号バーストの送信継続期間および連続するビーコン信号バースト間の継続期間のうちの少なくとも１つの関数である。たとえば、オンタイムインターバルの長さは、ビーコン信号バーストの送信継続期間と連続するビーコン信号バースト間の継続期間の少なくとも合計である。
【００３６】
図５は、様々な実施形態によって実施される、一例示的第１の無線端末によって使用される、無線端末を動作させる一例示的方法の流れ図５００を示したものである。この例示的方法の動作はステップ５０１で始まり、第１の無線端末に電力が供給され、かつ、第１の無線端末が初期化され、ステップ５０２へ進行する。
【００３７】
ステップ５０２で、例示的第１の無線端末は、ユーザビーコン信号を探索するためのスペクトル帯域の走査を開始することができる。次に、ステップ５０４で、第１の無線端末は、第２の無線端末からのユーザビーコン信号が検出されたかどうかを確認する。答えがノーである場合、動作はステップ５０４からステップ５１６へ進行し、第１の無線端末は、そのスペクトルを使用に供することができることを決定する。答えがイエスである場合、第１の無線端末はビーコン信号を見出し、動作はステップ５０４からステップ５０６へ進行し、第１の無線端末は、検出したユーザビーコン信号の優先順位レベルと自身の優先順位レベルを比較する。ステップ５０８で、第１の無線端末は、検出したビーコンが自身の優先順位レベルより高い優先順位レベルを有しているかどうかを確認する。答えがノーである場合、動作はステップ５０８からステップ５１６へ進行し、第１の無線端末は、そのスペクトルを使用に供することができることを決定する。答えがイエスである場合、動作はステップ５０８からステップ５１０へ進行する。ステップ５１０で、第１の無線端末は、第１の無線端末から第２の無線端末までの経路損失を決定する。
【００３８】
一実施形態では、ビーコン信号は、第２の無線端末の送信電力に関する情報を運んでいる。したがって第１の無線端末は、送信電力および第１の無線端末によって測定される受信電力から経路損失を決定することができる。ビーコン信号の各々が同じ電力レベルで送られる特殊なケースでは、ビーコン信号自体は、第２の無線端末の送信電力に関する情報を運ぶ必要はない。第１の無線端末は、既知、たとえば所定のビーコンレベル、送信電力および第１の無線端末によって測定される受信電力から経路損失を決定することができる。動作はステップ５１０からステップ５１２へ進行する。
【００３９】
ステップ５１２で、第１の無線端末は、経路損失が、たとえば、所定の記憶されている経路損失レベルに対して十分に大きいかどうかを決定する。答えがイエスである場合、動作はステップ５１２からステップ５１６へ進行する。ステップ５１６で、第１の無線端末は、そのスペクトルを使用に供することができることを決定する。答えがノーである場合、動作はステップ５１２からステップ５１４へ進行し、第１の無線端末は、そのスペクトルを使用に供することができないことを決定する。
【００４０】
第１の無線端末がステップ５１６でそのスペクトルを使用に供することができることを決定すると、第１の無線端末は、通信リンク、たとえば、ピアツーピア通信を確立するためにそのスペクトルを使用することができる。動作はステップ５１６からステップ５１８へ進行し、第１の無線端末は、自身のユーザビーコン信号の送信を含み、そのスペクトルの使用を開始する。その一方で、第１の無線端末は、たとえば、受話器動作に対して周期的にオンタイムモードに入り、ステップ５０２で示したように、ユーザビーコン信号を探索するためにスペクトル帯域を走査しなければならない。
【００４１】
通常、認知無線ネットワーク内の端末は、これらの端末の各々が同期情報を引き出すことができる共通のソースを有していない。様々な例示的実施形態の特徴によれば、無線端末は、専用の送信器によって送信される、たとえば、ビーコン送信器を備えた固定位置システム端末によって送信されるシステムビーコン信号から引き出されるタイミングおよび／または周波数情報を使用している。固定位置システム端末は、他のネットワークノードに結合しても、あるいは結合しなくてもよく、また、ビーコン信号を送信すること以外の追加無線機能を備えていても、あるいは備えていなくてもよい。いくつかの実施形態では、固定位置システム端末の唯一の機能は、これらの無線端末よって基準として使用されるシステムビーコン信号を送信することである。したがって、有利には、これらの端末は共通のタイミングおよび／または周波数基準を有しており、それにより互いに同期が取られている。詳細に説明するために、図６の図面６００は、様々な実施形態によって実施される、タイミング同期情報の利用の一実施例を示したものである。
【００４２】
水平軸６０１は時間を表している。第２の無線端末は、一連のビーコン信号バースト６０２、６０４、６０６等々を含んだそのユーザビーコン信号６０８を送信している。ここで、第１の無線端末に電力が供給され、これらのビーコンバーストを検出すると仮定する。第１の無線端末は、第２の端末より高い優先順位レベルを有していると仮定し、また、第１の無線端末はそのスペクトルを使用することを意図していると仮定する。
【００４３】
第１の無線端末は、第２の無線端末の受話器のオンタイムインターバルを予測し、このオンタイムインターバルの間、第２の無線端末は他のユーザビーコン信号をモニタする。この予測は、検出したビーコンバースト６０２、６０４および６０６の推定タイミングの関数である。たとえば、図６では、端末のオンタイムインターバルは、同じ無線端末によって送られるビーコン信号バーストの開始からの既知の時間オフセット６１２を有する時間瞬時から始まっている。したがって、第１の無線端末が第２の無線端末送信器のビーコンバーストのタイミングを決定すると、既知の関係から、第２の無線端末受話器のタイミングを決定することができる。
【００４４】
無作為に選択された時間瞬時にそのユーザビーコン信号を送る代わりに、図６に示す例示的シナリオでは、第１の無線端末は、時間を選択し、第２の無線端末が聞いている（６１０）時間帯に送信する（６１４）。第２の無線端末は、第１の無線端末によって送られるユーザビーコン信号を検出し、次に、その優先順位レベルがより低いため、そのスペクトル帯域の使用の停止を決定する。
【００４５】
上記の同期が存在しない場合、第２の無線端末が第１の無線端末によって送られるユーザビーコン信号を検出するのにはるかに長い時間を要することになることに留意されたい。あるいは、第２の無線端末は、検出の潜時を短くするためにはるかに長い時間インターバルの間、リスニングモードに留まらなければならないことになる。したがって、同期は、無線端末によるはるかに迅速で、かつ、より電力効率の高い方法でのビーコン信号の検出を補助している。
【００４６】
図７は、様々な実施形態によって実施される一例示的無線端末７００の詳細な実例を提供したものである。図７に示すこの例示的無線端末７００は、図１に示す無線端末１０２および１０４のうちのいずれか一方として使用することができる装置を詳細に示したものである。図７に示す実施形態では、無線端末７００は、母線７０６によって一体に結合された、プロセッサ７０４、無線通信インターフェースモジュール７３０、ユーザ入力／出力インターフェース７４０および記憶装置７１０を備えている。したがって、端末７００の様々なコンポーネントは、母線７０６を介して、情報、信号およびデータを交換することができる。無線端末７００のコンポーネント７０４、７０６、７１０、７３０、７４０は、ハウジング７０２の中に配置されている。
【００４７】
無線通信インターフェース７３０は、無線端末７００の内部コンポーネントが外部デバイスおよび他の端末に信号を送ることができ、また、それらから信号を受信することができる機構を提供している。無線通信インターフェース７３０は、たとえば、受話器モジュール７３２および送信器モジュール７３４を備えており、これらは、デュプレクサ７３８を介して、たとえば無線通信チャネルを介して無線端末７００を他の端末に結合するために使用されるアンテナ７３６に結合されている。
【００４８】
また、この例示的無線端末７００は、ユーザ入力装置７４２、たとえばキーパッド、およびユーザ出力装置７４４、たとえばディスプレイを備えており、これらは、ユーザ入力／出力インターフェース７４０を介して母線７０６に結合されている。したがって、ユーザ入力／出力装置７４２、７４４は、ユーザ入力／出力インターフェース７４０および母線７０６を介して、無線端末７００の他のコンポーネントと情報、信号およびデータを交換することができる。ユーザ入力／出力インターフェース７４０および関連する装置７４２、７４４は、様々なタスクを達成するためにユーザが無線端末７００を操作することができる機構を提供している。詳細には、ユーザ入力装置７４２およびユーザ出力装置７４４は、ユーザによる無線端末７００およびアプリケーション、たとえば、無線端末７００の記憶装置７１０内で実行するモジュール、プログラム、ルーチンおよび／または機能の制御を可能にする機能を提供している。
【００４９】
プロセッサ７０４は、様々なモジュール、たとえば、記憶装置７１０に含まれているルーチンの制御下で、以下で説明する様々なシグナリングおよび処理を実行するべく端末７００の動作を制御している。記憶装置７１０に含まれているモジュールは、スタートアップ時に実行されるか、あるいは他のモジュールによって呼び出される。これらのモジュールは、実行されると、データ、情報および信号を交換することができる。また、これらのモジュールは、実行されると、データおよび情報を共有することができる。図７に示す例示的実施形態では、無線端末７００の記憶装置７１０は、シグナリング／制御モジュール７１２およびシグナリング／制御データ７１４を備えている。
【００５０】
シグナリング／制御モジュール７１２は、信号、たとえば、ビーコン信号、ユーザデータ信号、メッセージなどの受信および送信、状態情報記憶の管理、検索、処理、走査、送信制御、優先順位決定、経路損失決定、デバイス同定、ユーザ同定およびスペクトル可用性決定に関連する処理を制御している。シグナリング／制御データ７１４には、状態情報、たとえば、端末の動作に関連するパラメータ、状態および／または他の情報が含まれている。詳細には、シグナリング／制御データ７１４には、様々な構成情報９１６、たとえば、端末のタイプ、優先順位レベル、送信電力、送信器電力能力などの構成情報が含まれている。モジュール７１２は、データ７１４にアクセスし、かつ／またはデータ７１４を修正することができ、たとえば、構成情報７１６を更新することができ、また、場合によっては実際に更新している。また、モジュール７１２は、その帯域のシステムビーコン信号を探索するためにあるスペクトル帯域を走査するためのモジュール７１１、ユーザビーコン信号を送信するためのモジュール７１３、異なるユーザビーコン信号の優先順位レベルを比較するためのモジュール７１５、および経路損失を決定するためのモジュール７１７を備えている。
【００５１】
図８Ａおよび図８Ｂの組合せからなる図８は、様々な実施形態による、無線通信デバイス、たとえば、移動体ノードなどの無線端末を動作させる一例示的方法の流れ図８００の図面である。無線通信デバイスは、たとえば、電池電力で動作させることができる携帯型無線通信デバイスである。無線通信デバイスは、たとえば、図９に示す無線端末９００である。
【００５２】
動作はステップ８０２で始まり、無線通信デバイスに電力が供給され、かつ、無線通信デバイスが初期化され、ステップ８０４へ進行する。ステップ８０４で、無線通信デバイスは、第１の時間周期の間、第１の通信帯域の少なくとも１つのビーコン記号を含んだビーコン信号の少なくとも一部を検出するためにモニタする。
【００５３】
動作は、ステップ８０４からステップ８０６へ進行する。ステップ８０６で、無線通信デバイスは、前記モニタリングの結果に基づいて、ビーコン記号およびユーザデータのうちの少なくとも１つを含んだ第１の信号を送信するか否かを決定する。いくつかの実施形態では、第１の信号はビーコン信号である。いくつかの実施形態では、前記ユーザデータには、テキストデータ、音声データ、イメージデータ、ゲームデータおよびスプレッドシートデータのうちの少なくとも１つが含まれている。
【００５４】
ステップ８０６には、サブステップ８０８、８１０、８１２、８１４および８１６が含まれている。サブステップ８０８で、無線通信デバイスは、少なくとも１つのビーコン記号を含んだビーコン信号部分がステップ８０４のモニタリングで検出されたかどうかを決定する。ビーコン記号部分が検出された場合、動作はステップ８０８から二者択一サブステップ８１０および８１２のいずれかへ進行する。ビーコン記号が検出されなかった場合、動作はステップ８０８からステップ８１４へ進行し、無線通信デバイスは、前記第１の時間周期の後に続く第２の時間周期の間、信号を送信しないことを決定する。
【００５５】
サブステップ８１０で、無線通信デバイスは、前記検出されたビーコン信号部分に応答して信号を送信することを決定する。代替として、サブステップ８１２で、無線通信デバイスは、検出されたビーコン信号部分によって通信された情報を復号する。動作はサブステップ８１２からサブステップ８１６へ進行する。サブステップ８１６で、無線通信デバイスは、前記復号された情報に含まれている情報に基づいて、前記第１の信号を送信するか否かを決定する。様々な実施形態では、サブステップ８１６には、サブステップ８１８および８２０のうちの１つまたは複数が含まれている。サブステップ８１８で、無線通信デバイスは、前記復号された情報に含まれているタイプ情報の関数として決定する。様々な実施形態では、タイプ情報は、第２の帯域をピアツーピア通信のために使用することができるか否かを示している。いくつかの実施形態では、タイプ情報は、ピアツーピア通信のために使用することができる第２の帯域を同定している。サブステップ８２０で、無線通信デバイスは、前記復号された情報に含まれているデバイス同定情報の関数として決定する。いくつかのこのような実施形態では、デバイス同定情報は、無線通信デバイスおよび現在その無線通信デバイスを使用しているユーザのうちの少なくとも１つを同定している。
【００５６】
動作は、接続ノードＡ８２２を介してステップ８０６からステップ８２４へ進行する。ステップ８２４で、無線通信デバイスは、ステップ８０６の決定の結果が、送信する、であったか否かに応じて別様に進行する。ステップ８０６の決定が、送信する、であった場合、動作はステップ８２４からステップ８２６へ進行する。ステップ８０６の決定が、送信しない、であった場合、動作は、接続ノードＢ８２８を介してステップ８２４からステップ８０４へ進行し、追加モニタリングが実行される。
【００５７】
ステップ８２６で、無線通信デバイスは、第２の時間周期の間、前記第１の信号の少なくとも一部を送信する。いくつかの実施形態では、第１の信号は、第１の通信帯域と同じ通信帯域である第２の帯域で送信される。たとえば、受信されるビーコン信号部分および第１の信号、たとえば、送信されるビーコン信号部分は、ピアツーピア通信ネットワークにおける複数のピアノードに対応していてもよく、また、これらのピアノードは、いずれも、ユーザビーコンシグナリングのための同じ周波数帯域を使用していてもよい。いくつかの他の実施形態では、第１の信号は、第１の通信帯域とは異なる第２の帯域で通信される。たとえば、受信されるビーコン信号部分は、通信デバイスがそのユーザビーコンシグナリングを送信する帯域とは異なる通信帯域を使用して、基地局または固定ビーコン信号送信器から通信することができる。いくつかのこのような実施形態では、第１および第２の通信帯域が分離されており、周波数領域がばらばらである。様々な実施形態では、第１および第２の通信帯域は、異なるサイズの周波数帯域である。
【００５８】
いくつかの実施形態では、ステップ８２６には、無線通信デバイスが少なくとも１つのビーコン記号を送信するサブステップ８３０が含まれている。たとえば、この少なくとも１つのビーコン記号は、単一のビーコン記号であるか、あるいはビーコンバースト中の少数のビーコン記号であり、これらのビーコン記号は、ビーコンバーストのビーコン記号送信ユニットの１０％未満を占めている。
【００５９】
動作は、ステップ８２６からステップ８３２および８３４のうちのいずれかへ進行する。ステップ８３２で、無線通信デバイスは、たとえば、前記第２の時間周期の後に続く第３の時間周期の間、ユーザデータを第３の通信帯域に送信する。たとえば、第２の時間周期の間、無線通信デバイスは、たとえばその存在を同定するために、少なくとも１つのビーコン記号を含んだ第１の信号の少なくとも一部を送信し、また、第３の時間周期の間、無線通信デバイスは、ユーザデータをピアに送信する。様々な実施形態では、第３の周波数帯域は第２の周波数帯域と同じである。たとえば、無線通信デバイスは、ピアツーピア通信のためにユーザビーコン信号とユーザデータの両方を同じ周波数帯域に送信することができる。いくつかの他の実施形態では、第２の周波数帯域は、第３の周波数帯域とは異なっている。たとえば、場合によっては、ユーザビーコン信号のため、およびユーザデータ信号のための全く別の周波数帯域が存在し得る。
【００６０】
動作はステップ８３２からステップ８３４へ進行する。ステップ８３４で、無線通信デバイスは、第４の時間周期の間、他の無線通信デバイスから、たとえば、ピアツーピア通信ネットワーク内のピアからの追加ビーコン信号の少なくとも一部を検出するためにモニタする。ステップ８３４には、いくつかの実施形態では、サブステップ８３６が含まれている。サブステップ８３６で、無線通信デバイスは、追加ビーコン信号の少なくとも一部を検出するために、前記第１の周波数帯域とは異なる第２の周波数をモニタする。
【００６１】
図９は、様々な実施形態によって実施される一例示的無線端末９００、たとえば移動体ノードの図面である。例示的無線端末９００は、図１に示すシステム１００の例示的無線端末（１０２、１０４）のうちのいずれかであってもよい。
【００６２】
例示的無線端末９００は、母線９１２を介して一体に結合された、受話器モジュール９０２、送信器モジュール９０４、プロセッサ９０６、ユーザＩ／Ｏ装置９０８および記憶装置９１０を備えており、これらの様々なエレメントは、母線９１２を介してデータおよび情報を交換することができる。記憶装置９１０は、ルーチン９１４およびデータ／情報９１６を備えている。プロセッサ９０６、たとえばＣＰＵは、ルーチン９１４を実行し、記憶装置９１０のデータ／情報９１６を使用して無線端末９００の動作を制御し、かつ、方法を実施している。
【００６３】
受話器モジュール９０２、たとえばＯＦＤＭ受話器は、受信アンテナ９０３に結合されており、無線端末はこの受信アンテナ９０３を介して他の無線通信デバイス、たとえば、他の無線端末および／または基地局などのシステム端末および／または固定位置ビーコン送信器から信号を受信している。受信される信号には、たとえば、無線端末からのビーコン信号、システムノードからのビーコン信号、および、たとえばピアツーピア通信における無線端末からのハンドシェーキング信号およびユーザデータ信号が含まれている。
【００６４】
送信器モジュール９０４、たとえばＯＦＤＭ送信器は、送信アンテナ９０５に結合されており、無線端末９００はこの送信アンテナ９０５を介して他の無線通信デバイス、たとえばピアノードに信号を送信している。いくつかの実施形態では、受話器モジュール９０２および送信器モジュール９０４に同じアンテナが使用されており、たとえば、受話器モジュールおよび送信器モジュール（９０２、９０４）は、デュプレクサモジュールを介してアンテナに結合されている。送信器モジュール９０４によって送信される信号には、たとえば、少なくとも１つのビーコン記号を含んだビーコン信号またはビーコン信号部分などの第１の信号が含まれている。送信器モジュール９０４によって送信される他の信号には、ピアツーピア通信セッション確立信号およびユーザデータ信号が含まれている。
【００６５】
ユーザＩ／Ｏ装置９０８は、たとえば、マイクロホン、キーパッド、キーボード、スイッチ、カメラ、スピーカ、ディスプレイなどを備えている。これらのユーザＩ／Ｏ装置９０８により、無線端末９００のユーザは、データ／情報をインプットし、アウトプットデータ／情報にアクセスし、また、無線端末９００の少なくともいくつかの機能を制御することができる。
【００６６】
ルーチン９１４には、通信ルーチン９１８および無線端末制御ルーチン９２０が含まれている。通信ルーチン９１８は、無線端末によって使用される様々な通信プロトコルを実施している。無線端末制御ルーチン９２０には、ビーコン検出モジュール９２２、ビーコンベース決定モジュール９２４、ビーコンシグナリング復号モジュール９２６、ビーコン信号生成モジュール９２８、制御モジュール９３０および無線端末ビーコン検出モジュール９３２が含まれている。
【００６７】
ビーコン検出モジュール９２２は、第１の通信帯域で通信される１つまたは複数のビーコン記号の受信を検出している。ビーコンベース決定モジュール９２４は、ビーコン検出モジュール９２２のアウトプットに基づいて第１の信号を送信するか否かを決定しており、前記アウトプットは、一定の時間周期の間にビーコン記号が検出されたか否かの関数であり、前記第１の信号には、ビーコン記号およびユーザデータのうちの少なくとも１つが含まれている。ビーコンシグナリング復号モジュール９２６は、検出されたビーコン信号部分によって通信された情報を復号しており、少なくとも１つの検出されたビーコン記号は、前記検出されたビーコン信号部分の一部である。いくつかの実施形態では、ビーコンベース決定モジュール９２４は、ビーコン信号復号モジュールによって実行される復号によって生成される復号された情報に基づいて第１の信号を送信するか否かを決定している。いくつかの実施形態では、ビーコンベース決定モジュール９２４は、ビーコン記号を含んだビーコン信号の少なくとも一部が第１の時間周期の間に前記ビーコン検出モジュールによって検出されない場合、第１の時間周期の後に続く第２の時間周期の間、信号を送信しないことを決定している。いくつかの実施形態では、ビーコンベース決定モジュール９２４は、復号された情報に含まれている、第２の帯域をピアツーピア通信のために使用することができることを示すタイプ情報に基づいて信号を送信するか否かを決定している。いくつかの実施形態では、ビーコンベース決定モジュール９２４は、復号された情報に含まれているデバイス情報に基づいて信号を送信するか否かを決定している。
【００６８】
ビーコン信号生成モジュール９２８は、ｉ）前記無線通信デバイス、およびｉｉ）現在前記無線通信デバイスを使用しているユーザのうちの少なくともいずれかを同定するために使用される識別子を通信するビーコン信号を生成している。制御モジュール９３０は、受話器および送信器が動作する帯域を制御している。制御モジュール９３０には、ユーザデータ送信制御モジュール９３１が含まれている。いくつかの実施形態では、前記受話器および送信器は、時分割多重化に基づいて同じ帯域を使用するように制御されている。いくつかの実施形態では、受話器は、第１の通信帯域を使用するように制御され、また、送信器は、第２の通信帯域を使用するように制御されており、前記第１および第２の通信帯域は異なる帯域である。いくつかの実施形態では、前記第１および第２の通信帯域が分離されており、周波数領域がばらばらであるが、所定の関係を有している。いくつかのこのような実施形態では、前記第１および第２の通信帯域は、異なるサイズの周波数帯域である。
【００６９】
ユーザデータ送信制御モジュール９３１は、第３の周期の間、第３の通信帯域へのユーザデータの送信を制御している。いくつかの実施形態では、第３の時間周期は第２の時間周期の後に続き、前記第２の時間周期は、少なくとも１つのビーコン記号を含んだ前記第１の信号の少なくとも一部が送信される一定の時間周期である。いくつかの実施形態では、第３の通信帯域は第２の通信帯域と同じである。いくつかの実施形態では、第３の通信帯域は、第２の通信帯域と異なっている。
【００７０】
無線端末ビーコン検出モジュール９３２は、前記ビーコン検出モジュール９２２が動作する一定の時間周期とは少なくとも一部が異なっている第４の時間周期の間、他の無線通信デバイスからのビーコン記号を検出している。他の無線通信デバイスは、たとえば、ピアツーピア通信ネットワーク内のピアノードである。いくつかの実施形態では、無線端末ビーコン検出モジュール９３２は、前記第１の通信帯域とは異なる周波数帯域である第２の通信帯域をモニタする。
【００７１】
データ／情報９１６には、検出されたビーコン信号の情報９３４、復号ビーコン信号部分から回復された情報（第１のビーコン信号に対応する復号ビーコン信号部分から回復された情報９３６、．．．、第Ｎのビーコン信号に対応する復号ビーコン信号部分から回復された情報９３８）、送信決定情報９４０、デバイス同定情報９５０、ユーザ同定情報９５２、第１の信号の情報９５４、現在の時間周期情報９６０、受話器周波数帯域選択情報９６２、送信器周波数帯域選択情報９６４、ピアツーピアネットワーク通信セッション情報９６６およびシステムデータ／情報９６８が含まれている。
【００７２】
第１のビーコン信号に対応する復号ビーコン信号部分から回復された情報９３６には、いくつかの実施形態では、タイプ情報９４２および同定情報９４４のうちの１つまたは複数が含まれている。タイプ情報９４２は、たとえば、周波数帯域タイプ指定情報である。タイプ情報９４２は、ピア−ピア通信のために使用すべき帯域タイプが指定されていることを示すことができ、また、場合によっては実際に示している。同定情報９４４は、たとえば、デバイス同定情報および／またはユーザ同定情報である。
【００７３】
第Ｎのビーコン信号に対応する復号ビーコン信号部分から回復された情報９３８には、いくつかの実施形態では、タイプ情報９４６および同定情報９４８のうちの１つまたは複数が含まれている。タイプ情報９４６は、たとえば、周波数帯域タイプ指定情報である。同定情報９４８は、たとえば、デバイス同定情報および／またはユーザ同定情報である。
【００７４】
第１の信号の情報９５６には、いくつかの実施形態では、ビーコン記号の情報９５６およびユーザデータ３５８のうちの１つまたは複数が含まれている。ビーコン記号の情報９５６には、たとえば、たとえば第１の信号に含まれているビーコン信号のビーコンバースト中のビーコン記号を運ぶために使用されるビーコン送信ユニットを同定する情報、トーンホッピングパターン情報および／またはビーコン記号に対応する時間情報が含まれている。ユーザデータ９５８には、たとえば第１の信号のデータ記号に対応する第１の信号の音声データ、他のタイプの音声データ、イメージデータ、テキストデータ、ファイルデータなどのデータ情報が含まれている。
【００７５】
システムデータ／情報９６８には、タイミング／周波数構造情報９７０、ビーコン復号情報９７６、決定基準情報９７８およびビーコン符号化情報９８０が含まれている。タイミング／周波数構造情報９７０には、周波数帯域の情報９７２および時間周期の情報９７４が含まれている。周波数帯域の情報９７２には、無線端末によって時折使用される複数の異なる周波数帯域を同定する情報が含まれている。また、周波数帯域の情報３７２には、ビーコン信号を周波数帯域に関連付ける情報が含まれている。いくつかの実施形態では、異なる目的のために異なる帯域が使用されている。たとえば、いくつかの実施形態では、ビーコンシグナリングのために１つの周波数帯域が使用され、また、ユーザデータシグナリングのために他の周波数帯域が使用されている。いくつかの実施形態では、複数の目的、たとえば、ユーザデータビーコンシグナリングおよび無線端末ビーコンシグナリングのために、少なくともいくつかの周波数帯域が使用されている。いくつかの実施形態では、異なる目的のために、異なる時間に同じ帯域が使用されており、たとえば、いくつかの実施形態では、基地局を介した無線通信のために典型的に使用される周波数帯域が時折ピアツーピア通信のために使用されている。時間周期の情報９７４には、たとえば、タイミング構造において、無線端末がビーコン信号を受信し、ビーコン信号を送信し、また、ユーザデータ信号をピアノードに通信しなければならない時期を同定する情報が含まれている。
【００７６】
ビーコン復号情報９７６、たとえば、様々な潜在検出ビーコン信号を回復情報、たとえば、周波数帯域タイプ指定情報、デバイスＩＤ情報、ユーザＩＤ情報および／または優先順位レベル情報にマッピングする情報は、たとえば、ビーコン記号の情報９３４を処理する際に、情報（９３６、．．．、９３８）を回復するために、ビーコン信号復号モジュール９２６によって使用される。
【００７７】
図１０は、様々な実施形態による、無線通信デバイスを動作させる一例示的方法の流れ図１０００の図面である。無線通信デバイスは、たとえば、電池電力を使用して動作させることができる移動体ノードなどの携帯型無線端末である。無線通信デバイスは、図１１に示す無線端末１１００である。動作はステップ１００２で始まり、無線通信デバイスに電力が供給され、かつ、無線通信デバイスが初期化される。動作は、開始ステップ１００２からステップ１００４へ進行する。ステップ１００４で、無線通信デバイスは、第１の時間周期の間、第１の通信帯域の少なくとも１つのビーコン記号を含んだビーコン信号の少なくとも一部を検出するためにモニタする。いくつかの実施形態では、ビーコン信号部分は同定値を通信している。たとえば、同定値は、デバイス識別子およびユーザ識別子のうちの１つであってもよい。
【００７８】
次に、ステップ１００６で、動作は、少なくとも１つのビーコン記号を含んだビーコン信号の少なくとも一部がステップ１００４で検出されたか否かに応じて別様に進行する。ビーコン信号部分が検出された場合、動作はステップ１００６からステップ１００４へ進行し、別の第１の時間周期の間、モニタする。しかしながら、ビーコン信号部分が検出されなかった場合、動作はステップ１００６からステップ１００８へ進行する。
【００７９】
ステップ１００８で、通信デバイスは、前記第１の時間周期の後に続く第２の時間周期の間、第１の信号、たとえば、少なくとも１つのビーコン記号を含んだ第２のビーコン信号の少なくとも一部を送信する。いくつかの実施形態では、第１の信号は第１の通信帯域に送信される。いくつかの実施形態では、前記第２の時間周期は、前記第１の時間周期と一定の時間関係を有している。様々な実施形態では、第２の時間周期は、第１の時間周期の開始から所定の時間オフセットを有している。
【００８０】
次に、ステップ１０１０で、無線通信デバイスはユーザデータを送信する。第１の信号は、いくつかの実施形態では、重複しない時間周期の間に、ユーザデータの送信に先だって送信される。様々な実施形態では、ユーザデータも第１の通信帯域で送信される。動作はステップ１０１０からステップ１０１２へ進行する。ステップ１０１２で、無線通信デバイスは、前記無線通信デバイスがピアツーピアに基づいて通信している他のデバイスからの前記ユーザデータ送信に対する応答をモニタする。
【００８１】
図１１は、様々な実施形態によって実施される一例示的無線端末１１００、たとえば移動体ノードの図面である。例示的無線端末１１００は、図１に示すシステム１００の例示的無線端末（１０２、１０４）のうちのいずれかであってもよい。
【００８２】
例示的無線端末１１００は、母線１１１２を介して一体に結合された、受話器モジュール１１０２、送信器モジュール１１０４、プロセッサ１１０６、ユーザＩ／Ｏ装置１１０８および記憶装置１１１０を備えており、これらの様々なエレメントは、母線１１１２を介してデータおよび情報を交換することができる。記憶装置１１１０は、ルーチン１１１４およびデータ／情報１１１６を備えている。プロセッサ１１０６、たとえばＣＰＵは、ルーチン１１１４を実行し、記憶装置１１１０のデータ／情報１１１６を使用して無線端末１１００の動作を制御し、かつ、方法を実施している。
【００８３】
受話器モジュール１１０２、たとえばＯＦＤＭ受話器は、受信アンテナ１１０３に結合されており、無線端末１１００はこの受信アンテナ１１０３を介して他の無線通信デバイスから信号を受信している。受話器モジュール１１０２は、たとえば、第１の通信帯域で送信されるビーコン信号部分を受信している。また、受話器モジュール１１０２は、ピア−ピア通信セッションの一部として、セッション確立信号およびユーザデータ信号をピアから受信している。
【００８４】
送信器モジュール１１０４、たとえばＯＦＤＭ送信器は、送信アンテナ１１０５に結合されており、無線端末１１００はこの送信アンテナ１１０５を介して他の無線通信デバイス、たとえばピアノードに信号を送信している。いくつかの実施形態では、受話器モジュール１１０２および送信器モジュール１１０４に同じアンテナがたとえばデュプレックスモジュールと共に使用されている。送信される信号には、ピア−ピア通信セッションの一部として、ビーコン信号、通信セッション確立信号およびユーザデータ信号が含まれている。
【００８５】
ユーザＩ／Ｏ装置１１０８は、たとえば、マイクロホン、キーパッド、キーボード、スイッチ、カメラ、スピーカ、ディスプレイなどを備えている。これらのユーザＩ／Ｏ装置１１０８により、無線端末１１００のユーザは、データ／情報をインプットし、アウトプットデータ／情報にアクセスし、また、無線端末１１００の少なくともいくつかの機能を制御することができ、たとえば、ピア−ピア通信セッションの確立を試行することができる。
【００８６】
ルーチン１１１４には、通信ルーチン１１１８および無線端末制御ルーチン１１２０が含まれている。通信ルーチン１１１８は、無線端末１１００によって使用される様々な通信プロトコルを実施している。無線端末制御ルーチン１１２０には、ビーコン検出モジュール１１２２、送信制御モジュール１１２４、第１の信号、たとえば、ビーコン信号部分生成モジュール１１２６、ビーコン記号生成モジュール１１２７、ビーコン情報検出モジュール１１２８、周波数帯域制御モジュール１１３０、ユーザデータ送信制御モジュール１１３２および応答検出モジュール１１３４が含まれている。
【００８７】
ビーコン検出モジュール１１２２は、第１の通信帯域で通信されるビーコン記号の受信を検出している。送信制御モジュール１１２４は、ビーコン検出モジュール１１２２のアウトプットの関数として信号送信を制御している。送信制御モジュール１１２４は、前記第１の時間周期の間に、少なくとも１つのビーコン記号を含んだビーコン信号部分が検出されない場合、第１の時間周期の後に続く第２の時間周期の間、第１の信号を送信するように送信器モジュール１１０４を制御している。いくつかの実施形態では、第２の時間周期は、第１の時間周期と一定の時間関係を有しており、たとえば、第１の時間周期の開始に対して所定の時間オフセットを有している。
【００８８】
第１の信号生成モジュール１１２６は第１の信号を生成している。たとえば、例示的第１の信号は、少なくとも１つのビーコン記号を含んだビーコン信号バーストなどのビーコン信号部分である。ビーコン記号生成モジュール１１２７は、ビーコン記号、たとえば、生成されるビーコン記号部分に含まれるビーコン記号を生成している。たとえば、ビーコン記号は、無線端末の送信の観点から、データ記号に対して比較的電力が大きい記号であり、検出を容易にしている。たとえば、ビーコン記号とデータ記号の間の平均送信電力の差は、いくつかの実施形態では、少なくとも１０ｄＢである。いくつかの実施形態では、生成されるビーコン記号の各々は、同じ送信電力レベルを有している。いくつかの実施形態では、各生成されるビーコン記号は同じ位相を有しており、一方、生成されるデータ記号は、たとえば、ＱＰＳＫ、ＱＡＭ１６、ＱＡＭ２５６などの一群の一部として異なる位相を有することができ、また、一般的には実際に異なる位相を有している。
【００８９】
ビーコン情報検出モジュール１１２８は、ビーコン信号の検出部分によって通信された同定値を決定している。同定値は、たとえば、デバイス識別子およびユーザ識別子のうちの１つである。
【００９０】
周波数帯域制御モジュール１１３０は、受話器モジュール１１０２および送信器モジュール１１０４が動作する帯域を制御している。いくつかの実施形態では、受話器モジュール１１０２および送信器モジュール１１０４は、たとえば、ピア−ピア通信セッションに対して、時分割多重化に基づいて同じ帯域を使用するように制御されている。
【００９１】
ユーザデータ送信制御モジュール１１３２は、前記第１の通信帯域の前記第１の信号の他に、ユーザデータの送信を制御している。いくつかの実施形態では、第１の信号は、前記ユーザデータに先だって送信され、ユーザデータ送信制御モジュール１１３２は、前記第１の信号の送信と重複しない送信時間周期に前記ユーザデータの送信が生じるように制御している。様々な実施形態では、ユーザデータ送信制御モジュール１１３２は、第１の帯域、たとえば、無線端末がそのビーコン信号を送信している帯域と同じ帯域にユーザデータが送信されるようにユーザデータの送信を制御している。
【００９２】
応答検出モジュール１１３４は、前記無線端末デバイスがピアツーピアに基づいて通信している他のデバイスからのユーザデータ送信に対する応答を検出している。応答は、たとえば、ピアノードからのユーザデータおよび／または制御情報である。制御情報は、たとえば、ハンドシェーキング情報、セッション確立情報、セッション終了情報、セッション維持情報、電力制御情報、タイミング制御情報、周波数帯域情報などである。
【００９３】
データ／情報１１１６には、受話器周波数帯域選択情報１１３６、現在時間情報１１３８、送信器周波数帯域選択情報１１４０、フラグを検出するためのビーコン検出／故障１１４２、検出されたビーコン信号の情報１１４４、検出されたビーコン信号部分の同定情報１１４６、デバイス同定情報１１４８、ユーザ同定情報１１５０、生成された第１の信号の情報、たとえば生成されたビーコン信号の情報１１５２、送信されるユーザデータ１１５４、ピアからの検出応答情報１１５６およびシステムデータ／情報１１５８が含まれている。
【００９４】
受話器周波数帯域選択１１３６および送信器周波数帯域選択１１４０は、周波数帯域選択モジュール１１３０のアウトプットであり、受話器モジュール１１０２および送信器モジュール１１０４の同調を制御するために無線端末によって使用される。フラグを検出するためのビーコン検出／故障１１４２、たとえば、ビーコン検出モジュール１１２２からの単一ビット出力は、ビーコンの送信をシステムビーコンシグナリング規則に従って決定するために、送信制御モジュール１１２４によって使用される。
【００９５】
検出されたビーコン信号の情報１１４４には、ビーコン信号検出モジュール１１２２によって回復された、検出されたビーコン信号、たとえば、ビーコン記号、ビーコン記号のパターン、検出されたビーコン記号に関連する傾斜などを運ぶ１組の同定されたビーコン送信ユニットに対応する情報が含まれている。検出されたビーコン信号部分の同定情報１１４６は、ビーコン情報検出モジュール１１２８のアウトプットであり、たとえば、検出されたビーコン信号の発信源を同定するデバイス識別子またはユーザ識別子である。
【００９６】
生成された第１の信号の情報、たとえば、生成されたビーコン信号の情報１１５２は、第１の信号生成モジュール１１２６によって生成された第１の信号に対応しており、たとえば、たとえばビーコン記号トーン同定情報、空トーン同定情報、ビーコンバースト継続期間情報およびビーコンバーストタイミング情報を含んだビーコン信号バーストを定義する情報が含まれている。
【００９７】
送信されるユーザデータ１１５４には、たとえば、ユーザデータ送信制御モジュール１１３２の制御下で、たとえば適切な時間、たとえばユーザデータインターバルの間に、実施されているタイミング構造で通信されるピアのためのものであることが意図された音声、他の音声データ、イメージデータ、テキストおよび／またはファイルデータが含まれている。ピアからの検出応答情報１１５６は、応答検出モジュール１１３４のアウトプットである。
【００９８】
システムデータ／情報１１５８には、タイミング／周波数構造情報１１６０、ビーコン符号化情報１１６８およびビーコン復号情報１１７０が含まれている。タイミング／周波数構造情報１１６０には、周波数帯域の情報１１６２、時間周期の情報１１６４および時間周期の関係の情報１１６６が含まれている。
【００９９】
図１２は、様々な実施形態による、無線通信デバイスを動作させる一例示的方法の流れ図１２００の図面である。無線通信デバイスは、たとえば、電池電力を使用して動作させることができる移動体ノードなどの携帯型無線端末である。無線通信デバイスは、たとえば、図１３に示す無線端末１３００である。動作はステップ１２０２で始まり、無線通信デバイスに電力が供給され、かつ、無線通信デバイスが初期化され、ステップ１２０４へ進行する。ステップ１２０４で、無線通信デバイスは、少なくとも１つのビーコン記号を含んだビーコン信号の少なくとも一部を他の通信デバイスから受信する。動作はステップ１２０４からステップ１２０６へ進行する。ステップ１２０６で、無線通信デバイスは、前記受信したビーコン信号部分によって通信された優先順位情報に基づいて信号の送信を決定する。優先順位情報は、たとえば、デバイス優先順位、ユーザ優先順位およびセッション優先順位のうちの１つを示している。
【０１００】
優先順位情報は、前記ビーコン信号部分に含まれている複数のビーコン記号を使用して符号化することができ、また、場合によっては実際に符号化されている。いくつかのこのような実施形態では、優先順位情報は、前記ビーコン信号部分を通信するために使用される１組のビーコン記号送信ユニットにおけるビーコン記号の位置によって少なくとも部分的に符号化されている。いくつかの実施形態では、優先順位情報は、複数のビーコン記号送信時間周期を含む一定の時間周期にわたって前記ビーコン信号部分を送信するために使用される１組のビーコン記号送信ユニットにおけるビーコン記号位置の変化に基づいて少なくとも部分的に符号化されている。いくつかのこのような実施形態では、１組のビーコン記号送信ユニットにおけるビーコン記号送信ユニットは、通信される優先順位レベルに対応する所定のトーンホッピングパターンに対応している。様々な実施形態では、優先順位が最も高いビーコンを通信するために、優先順位情報を通信するために使用される他のすべてのビーコンより優先順位が高いことを示す独自のビーコン記号パターンが使用されている。
【０１０１】
いくつかの実施形態では、送信を決定することには、前記優先順位情報が前記無線通信デバイスに関連する優先順位より高い優先順位を示している場合、ユーザデータを送信しないことを決定することが含まれている。いくつかの実施形態では、送信を決定することには、前記優先順位情報が前記無線通信デバイスに関連する優先順位より低い優先順位を示している場合、ユーザデータを送信することを決定することが含まれている。
【０１０２】
送信を決定することには、受信した優先順位レベルおよび受信したビーコン信号部分の受信した電力レベルの関数として決定される送信電力レベルでユーザデータを送信することを決定することを含むことができ、また、場合によっては実際に含まれている。いくつかの実施形態では、受信したビーコン信号部分が、送信電力を制御するために使用された既に受信済みのビーコン信号部分によって示される優先順位レベルより高い優先順位レベルを示している場合、その無線通信デバイスの送信電力レベルが小さくなる。いくつかの実施形態では、受信したビーコン信号部分が、送信電力を制御するために使用された既に受信済みのビーコン信号部分によって示される優先順位レベルより低い優先順位レベルを示している場合、その無線通信デバイスの送信電力レベルが小さくなる。
【０１０３】
次に、ステップ１２０８で、動作は、ステップ１２０６の信号送信決定に応じて別様に進行する。信号送信決定がユーザデータを送信すべきであることを示している場合、動作はステップ１２０８からステップ１２１０へ進行する。信号送信決定がユーザデータを送信すべきではないことを示している場合、動作はステップ１２０８からステップ１２０４へ進行し、無線通信デバイスは、少なくとも１つのビーコン記号を含んだビーコン信号の他の少なくとも一部を受信するように動作する。
【０１０４】
ステップ１２１０で、無線通信デバイスは、ビーコン記号、たとえば、ビーコン信号バーストまたは複数のビーコン信号バーストの少なくとも一部を送信するように動作する。様々な実施形態では、ビーコン信号の送信される部分は、前記無線通信デバイスおよびユーザデータを送信するために前記無線通信デバイスを使用しているユーザのうちの少なくとも１つを同定している。いくつかの実施形態では、送信されるビーコン信号部分は、前記無線通信デバイスに対応する優先順位情報を通信している。動作はステップ１２１０からステップ１２１２へ進行する。ステップ１２１２で、無線通信はユーザデータを送信する。動作はステップ１２１２からステップ１２１４へ進行する。
【０１０５】
ステップ１２１４で、無線通信デバイスは、少なくとも１つのビーコン記号を含んだ追加信号部分をモニタし、たとえば、前記追加信号部分が、その無線通信デバイスに関連する優先順位より高い優先順位を通信するビーコン記号の一部であることをモニタする。動作はステップ１２１４からステップ１２１６へ進行する。ステップ１２１６で、無線通信デバイスは、所定の時間周期の間に前記追加部分が受信されたかどうかを決定する。
【０１０６】
前記追加部分が受信されていないことが決定されると、動作はステップ１２１６からステップ１２１８へ進行し、無線通信デバイスは信号を送信する。動作はステップ１２１８からステップ１２１４へ進行し、他の所定の時間周期の間、さらにモニタされる。
【０１０７】
ステップ１２１６へ戻り、前記追加部分が受信されていないことが決定されると、動作はステップ１２１６からステップ１２０４へ進行し、無線通信デバイスは、少なくとも１つのビーコン記号を含んだビーコン記号の他の少なくとも一部を受信するように動作する。
【０１０８】
図１３は、様々な実施形態によって実施される一例示的無線端末１３００、たとえば移動体ノードの図面である。例示的無線端末１３００は、図１に示すシステム１００の例示的無線端末（１０２、１０４）のうちのいずれかであってもよい。
【０１０９】
例示的無線端末１３００は、母線１３１２を介して一体に結合された、受話器モジュール１３０２、送信器モジュール１３０４、プロセッサ１３０６、ユーザＩ／Ｏ装置１３０８および記憶装置１３１０を備えており、これらの様々なエレメントは、母線１３１２を介してデータおよび情報を交換することができる。記憶装置１３１０は、ルーチン１３１４およびデータ／情報１３１６を備えている。プロセッサ１３０６、たとえばＣＰＵは、ルーチン１３１４を実行し、記憶装置１３１０のデータ／情報１３１６を使用して無線端末１３００の動作を制御し、かつ、方法を実施している。
【０１１０】
受話器モジュール１３０２、たとえばＯＦＤＭ受話器は、受信アンテナ１３０３に結合されており、無線端末はこの受信アンテナ１３０３を介して他の無線通信デバイスから信号を受信している。受話器モジュール１３０２は、少なくとも１つのビーコン記号を含んだビーコン信号の少なくとも一部を含んだ信号を他の通信デバイスから受信している。受信される信号には、ピアノードからのビーコン信号およびユーザデータ信号が含まれている。
【０１１１】
送信器モジュール１３０４、たとえばＯＦＤＭ送信器は、送信アンテナ１３０５に結合されており、無線端末はこの送信アンテナ１３０５を介して他の無線通信デバイス、たとえばピアノードに信号を送信している。いくつかの実施形態では、受話器モジュール１３０２および送信器モジュール１３０４に同じアンテナがたとえばデュプレックスモジュールと共に使用されている。送信器モジュール１３０４は、信号送信決定モジュール１３２２の決定に従って、ビーコン信号部分およびユーザデータを含んだ信号を送信している。様々な実施形態では、少なくとも１つのビーコン記号を含んだビーコン信号の送信される部分が、ｉ）無線通信デバイス１３００、およびｉｉ）ユーザデータを送信するために無線端末１３００を使用しているユーザのうちの少なくとも１つを同定している。
【０１１２】
ユーザＩ／Ｏ装置１３０８は、たとえば、マイクロホン、キーパッド、キーボード、スイッチ、カメラ、スピーカ、ディスプレイなどを備えている。これらのユーザＩ／Ｏ装置１３０８により、無線端末１３００のユーザは、データ／情報をインプットし、アウトプットデータ／情報にアクセスし、また、無線端末１３００の少なくともいくつかの機能を制御することができ、たとえば、ピアツーピア通信セッションの確立を試行することができる。
【０１１３】
ルーチン１３１４には、通信ルーチン１３１８および無線端末制御ルーチン１３２０が含まれている。通信ルーチン１３１８は、無線端末１３００によって使用される様々な通信プロトコルを実施している。無線端末制御ルーチン１３２０には、送信決定モジュール１３２２、ビーコン信号生成モジュール１３２４、モニタリングモジュール１３２６、制御モジュール１３２８、送信電力制御モジュール１３３０およびビーコン信号情報検出モジュール１３３２が含まれている。
【０１１４】
送信決定モジュール１３２２は、受信したビーコン信号部分によって通信された優先順位情報に基づいて信号の送信を決定している。優先順位情報は、たとえば、デバイス優先順位、ユーザ優先順位およびセッション優先順位のうちの１つを示している。送信決定モジュール１３２２には、優先順位ベース制御モジュール１３３４が含まれている。優先順位ベース制御モジュール１３３４は、受信した優先順位情報が前記無線端末１３００に関連する優先順位より高い優先順位を示している場合のユーザデータの送信を防止している。様々な実施形態では、優先順位ベース制御モジュール１３３４は、受信した優先順位情報がその無線端末１３００に関連する優先順位より低い優先順位を示している場合、ユーザデータの送信を可能にしている。
【０１１５】
ビーコン信号生成モジュール１３２４はビーコン信号部分を生成しており、生成されたビーコン信号部分には少なくとも１つのビーコン記号が含まれている。いくつかのビーコン信号部分は、ビーコンバースト信号と呼ばれている。
【０１１６】
制御モジュール１３２８は、送信決定モジュール１３２２による信号送信の決定に引き続いて、少なくとも１つのビーコン記号を含んだ追加ビーコン信号部分をモニタするようにモニタリングモジュール１３２６を制御している。いくつかの実施形態では、無線端末１３００に関連する前記優先順位より高い優先順位を通信している追加ビーコン信号部分が所定の時間周期の間に受信されない場合、送信決定モジュール１３２２は、信号の送信を決定する。
【０１１７】
送信電力制御モジュール１３３０は、受信した優先順位レベルおよび受信したビーコン信号部分の受信した電力レベルのうちの少なくとも１つの関数としてユーザデータ送信電力レベルを制御している。送信電力制御モジュール１３３０には、送信電力リダクションモジュール１３３６が含まれている。送信電力リダクションモジュール１３３６は、受信したビーコン信号部分が、送信電力を制御するために使用された既に受信済みのビーコン信号部分によって示される優先順位レベルより高い優先順位を示している場合、送信電力レベルを低くする。
【０１１８】
ビーコン信号情報検出モジュール１３３２は、受信したビーコン信号部分に含まれている１組のビーコン記号から優先順位情報を決定しており、前記優先順位情報は、複数のビーコン記号で符号化されている。いくつかの実施形態では、優先順位情報は、ビーコン信号部分を送信するために使用される１組のビーコン記号送信ユニットにおけるビーコン記号の位置によって少なくとも部分的に符号化されている。様々な実施形態では、優先順位情報は、ビーコン信号部分を送信するために使用される１組のビーコン記号送信ユニットにおけるビーコン記号位置の変化に基づいて少なくとも部分的に符号化されている。いくつかの実施形態では、優先順位情報は、複数のビーコン記号送信時間周期を含む一定の時間周期にわたってビーコン信号部分を送信するために使用される１組のビーコン記号送信ユニットにおけるビーコン記号位置の変化に基づいて少なくとも部分的に符号化されている。様々な実施形態では、１組のビーコン記号送信ユニットにおけるビーコン記号位置は、通信すべき優先順位レベルに対応する所定のトーンホッピングパターンに対応している。いくつかの実施形態では、最も高い優先順位を通信するために、優先順位情報を通信するために使用される他のすべてのビーコンより優先順位が高いことを示す独自のビーコン記号パターンが使用されている。
【０１１９】
データ／情報１３１６には、受信したビーコン信号部分の情報（受信したビーコン信号ポート１の情報１３３８、．．．、受信したビーコン信号部分Ｎの情報１３４０）、送信決定情報１３４２、送信されるユーザデータ１３４４、無線端末に関連する現在の優先順位１３４６、ユーザデータ送信電力レベル情報１３４８、受信したビーコン信号部分に関連する優先順位レベル情報（受信したビーコン信号部分１に関連する優先順位１３５０、．．．、受信したビーコン信号部分Ｎに関連する優先順位１３５２）、生成されたビーコン信号部分の情報１３５４およびビーコン信号復号情報１３５６が含まれている。
【０１２０】
受信したビーコン信号部分１の情報１３３８には、ビーコン記号情報１３５８および優先順位情報１３６０が含まれている。優先順位情報１３７０には、デバイス優先順位情報１３６２、ユーザ優先順位情報１３６４およびセッション優先順位情報１３６６のうちの少なくとも１つが含まれている。
【０１２１】
受信したビーコン信号部分Ｎの情報１３４０には、ビーコン記号情報１３６８および優先順位情報１３７０が含まれている。優先順位情報１３６０には、デバイス優先順位情報１３７２、ユーザ優先順位情報１３７４およびセッション優先順位情報１３７６のうちの少なくとも１つが含まれている。
【０１２２】
送信決定１３４２は、ＷＴ１３００がその送信を許可されるか否かを示す送信決定モジュール１３２２のアウトプットである。送信されるユーザデータ１３４４は、たとえば、許可された場合に、ＷＴ１３００がピア−ピア通信セッションでピアに送信することを意図した、音声、他の音声データ、イメージデータ、テキストデータ、ファイルデータなどである。
【０１２３】
無線端末に関連する現在の優先順位１３４６は、比較のために優先順位ベース制御モジュール１３３４によって使用される、ＷＴ１３００に関連する現在の優先順位レベルを示している。いくつかの実施形態では、無線端末の現在の優先順位は、たとえばセッション情報および／またはユーザ同定情報の関数として常に変更が可能であり、また、場合によっては実際に変更されている。
【０１２４】
受信したビーコン信号部分１に関連する優先順位１３５０および受信したビーコン部分Ｎに関連する優先順位１３５２は、それぞれ受信したビーコン信号部分（１３３８、．．．、１３４０）に対応しており、送信決定モジュール１３２２によって使用されている。
【０１２５】
生成されたビーコン信号部分の情報１３５４、たとえば、１組のビーコン記号および１組の故意の空を含んだビーコン信号バーストに対応する情報は、ビーコン信号生成モジュール１３２４のアウトプットである。
【０１２６】
ユーザデータ送信電力レベル情報１３４８には、電力レベル調整情報１３７８、たとえば、検出されたより高い優先順位のビーコン信号に応答して実施される電力リダクションの量を示す情報が含まれている。
【０１２７】
ビーコン信号復号情報１３５６には、ビーコン記号位置情報１３８０およびトーンホッピングパターン／優先順位レベル情報１３８２が含まれている。ビーコン信号復号情報１３５６は、ビーコン信号によって運ばれる優先順位情報、たとえば、デバイス優先順位情報１３６２、ユーザデバイス優先順位情報１３６４およびセッション優先順位情報１３６６のうちの１つまたは複数を得るために、１つまたは複数の受信したビーコン信号部分のビーコン記号情報、たとえば情報１３５８を処理する際に、ビーコン信号情報検出モジュール１３３２によって使用される。
【０１２８】
ＯＦＤＭ  ＴＤＤシステムのコンテキストで記載されているが、様々な実施形態の方法および装置は、多くの非ＯＦＤＭ、多くの非ＴＤＤシステムおよび／または多くの非セルラーシステムを始めとする広範囲にわたる通信システムに適用することができる。
【０１２９】
様々な実施形態では、本明細書において説明されているノードは、１つまたは複数の方法に対応する複数のステップ、たとえば、ビーコン信号を生成すること、ビーコン信号を送信すること、ビーコン信号を受信すること、ビーコン信号を走査すること、受信したビーコン信号から情報を回復すること、タイミング調整を決定すること、タイミング調整を実施すること、動作モードを変更すること、通信セッションを開始すること、ユーザビーコン信号の優先順位レベルを比較すること、経路損失を決定すること、固定位置ビーコン送信器から基準を決定することなどのステップを実行するための１つまたは複数のモジュールを使用して実施されている。いくつかの実施形態では、様々な特徴は、複数のモジュールを使用して実施されている。このようなモジュールは、ソフトウェア、ハードウェアまたはソフトウェアとハードウェアの組合せを使用して実施することができる。上で説明した方法または方法ステップの多くは、メモリ素子、たとえば、ＲＡＭ、フロッピー（登録商標）ディスクなどの機械可読媒体に含まれている、機械、たとえば、ハードウェアが追加された、あるいはハードウェアが追加されていない汎用コンピュータを制御し、それにより上で説明した方法のすべてまたは一部を、たとえば、１つまたは複数のノードで実施するためのソフトウェアなどの機械実行可能命令を使用して実施することができる。したがって、とりわけ、様々な実施形態は、機械、たとえば、プロセッサおよび関連するハードウェアに、上で説明した１つまたは複数の方法の複数のステップのうちの１つまたは複数を実行させるための機械実行可能命令を含んだ機械可読媒体を対象としている。
【０１３０】
以上の説明に鑑みて、当業者には、上で説明した方法および装置に対する多くの追加変形形態が明らかであろう。このような変形形態は範囲内であると見なされるものとする。様々な実施形態の方法および装置は、符号分割多元接続、直交周波数分割多重化（ＯＦＤＭ）および／またはアクセスノードと移動体ノードの間に無線通信リンクを提供するために使用することができる様々な他のタイプの通信技法と共に使用することができ、また、様々な実施形態ではそれらと共に使用されている。いくつかの実施形態では、アクセスノードは、ＯＦＤＭおよび／または符号分割多元接続を使用して移動体ノードとの通信リンクを確立する基地局として実施されている。様々な実施形態では、移動体ノードは、ノートブックコンピュータ、パーソナルデータアシスタント（ＰＤＡ）または様々な実施形態の方法を実施するための受話器／送信器回路および論理および／またはルーチンを含んだ他の携帯型デバイスとして実施されている。
【図面の簡単な説明】
【０１３１】
【図１】様々な実施形態によって実施される、地理上の領域における一例示的認知無線ネットワークを示す図。
【図２】様々な実施形態によって実施される認知無線ネットワークにおけるスペクトル帯域の使用を制御するためのビーコン信号の一例示的使用方法のはしご線図を示す図。
【図３】様々な実施形態によって実施される、異なる例示的ビーコン信号、たとえばシステムおよび／またはユーザビーコン信号を示す図。
【図４】様々な実施形態によって実施される、タイミング同期情報の利用の一実施例を示す図。
【図５】様々な実施形態によって実施される、一例示的無線端末によって使用される方法の流れ図を示す図。
【図６】予測ビーコンモニタリングインターバルに従ってビーコン信号バーストをモニタし、かつ、ビーコンバーストを送信する一実施形態を示す図。
【図７】様々な実施形態によって実施される一例示的無線端末を詳細に示す図。
【図８】図８Ａおよび図８Ｂの組合せからなる、様々な実施形態による、無線通信デバイス、たとえば、移動体ノードなどの無線端末を動作させる一例示的方法の流れ図を示す図。
【図９】様々な実施形態によって実施される一例示的無線端末、たとえば移動体ノードを示す図。
【図１０】様々な実施形態による、無線通信デバイスを動作させる一例示的方法の流れ図を示す図。
【図１１】様々な実施形態によって実施される一例示的無線端末、たとえば移動体ノードを示す図。
【図１２】様々な実施形態による、無線通信デバイスを動作させる一例示的方法の流れ図を示す図。
【図１３】様々な実施形態によって実施される一例示的無線端末、たとえば移動体ノードを示す図。
【図１】
2009523377.tif 000003
【図２】
2009523377.tif 000004
【図３】
2009523377.tif 000005
【図４】
2009523377.tif 000006
【図５】
2009523377.tif 000007
【図６】
2009523377.tif 000008
【図７】
2009523377.tif 000009
【図８】
2009523377.tif 000010
【図８Ａ】
2009523377.tif 000011
【図８Ｂ】
2009523377.tif 000012
【図９】
2009523377.tif 000013
【図１０】
2009523377.tif 000014
【図１１】
2009523377.tif 000015
【図１２】
2009523377.tif 000016
【図１３】
2009523377.tif 000017
【国際調査報告】
2009523377.tif 000018
2009523377.tif 000019
2009523377.tif 000020
2009523377.tif 000021